(57)【特許請求の範囲】
【請求項１】
防水層を設けた傾斜した屋根上に、所定厚みに土を積層させた植栽部を設けてある屋根構造であって、
前記土が前記植栽部の厚み方向に通過自在な多数の通過孔を備えた偏平な面部材を設け、その面部材を支持自在な複数の支持部材を前記屋根に取り付け、前記面部材を、前記屋根に沿う状態で、被支持部が前記防水層から離間する状態に前記支持部材で支持してあると共に、前記植栽部の軒側端部において前記面部材を土の上部へ折り戻して、前記植栽部の軒側端縁部を包みこんである屋根構造。
【請求項２】
前記支持部材には、前記面部材の支持高さを変更自在な高さ変更手段を設けてある請求項１に記載の屋根構造。
【請求項３】
前記面部材は、ネットであり、前記支持部材は、前記ネットを貫通して表裏面から挟持支持自在に形成してある請求項１又は２に記載の屋根構造。
【請求項４】
前記植栽部内に水を保水可能な保水マットを、前記防水層上に沿わせて設けてある請求項１〜３の何れか一項に記載の屋根構造。
【発明の詳細な説明】
【０００１】
【発明の属する技術分野】
本発明は、防水層を設けた傾斜した屋根上に、所定厚みに土を積層させた植栽部を設けてある屋根構造に関する。
【０００２】
【従来の技術】
従来、この種の屋根構造としては、図１１に示すように、所定の角度に傾斜した屋根Ｂ２防水層上に直に土１を積層させて植栽部Ｓを構成してあるものがあった。
【０００３】
【発明が解決しようとする課題】
上述した従来の屋根構造によれば、植栽部への水やりや雨水の浸透、及び、風の影響、及び、土そのものの重量等によって、土が屋根勾配に沿って流下しやすく、その結果、勾配上手側の土が不足することとなり、勾配上手側への土の補充を頻繁に実施しなければならず、植栽部の維持管理に手間が掛かり易いといった問題点があった。
また、土の流下を抑制する手段としては、図１２に示すように、前記屋根の傾斜下手縁部に、屋根上面に張り出し状態に立ち上がり壁部２０を形成して、土を堰き止めることが考えられるが、この場合には、土の流下を防止するためには、前記立ち上がり壁部の高さ寸法は、植栽部の厚み寸法と同じか、それより大きく設定する必要があり、建物に近い位置から前記屋根を見上げた場合に、前記立ち上がり壁部ばかりが目について肝心の植栽部が見え難く、せっかく設けられた植栽部の美しさを生かし難い。
【０００４】
従って、本発明の目的は、上記問題点を解消し、植栽部の土の流下を抑制し易い屋根構造を提供するところにある。
【０００５】
【課題を解決するための手段】
請求項１の発明の特徴構成は、図１〜３に例示するごとく、防水層４を設けた傾斜した屋根Ｂ２上に、所定厚みに土１を積層させた植栽部Ｓを設けてある屋根構造において、前記土１が前記植栽部Ｓの厚み方向に通過自在な多数の通過孔５ｂを備えた偏平な面部材５を設け、その面部材５を支持自在な複数の支持部材３を前記屋根Ｂ２に取り付け、前記面部材５を、前記屋根Ｂ２に沿う状態で、被支持部５ａが前記防水層４から離間する状態に前記支持部材３で支持してあると共に、前記植栽部の軒側端部において前記面部材を土の上部へ折り戻して、前記植栽部の軒側端縁部を包みこんであるところにある。
【０００６】
請求項１の発明の特徴構成によれば、前記偏平な面部材には、前記土が前記植栽部の厚み方向に通過自在な多数の通過孔を備えてあると共に、面部材はその被支持部が防水層から離間する状態に支持部材で屋根に取り付けてあるから、植栽部に積層させた土は、前記通過孔を貫く状態に積み重なる。従って、土の中に前記面部材が埋設された状況を呈することが可能となり、両者（面部材と土）間の摩擦作用、及び、前記通過孔を介して係わり合う両者（面部材と土）間の係合作用によって面部材と土との一体性が向上する。その結果、土が流下しようとするのを、支持部材を介して屋根に取り付けられた前記面部材によって支持することができ、植栽部での土の流下を抑制することが可能となる。
また、植栽屋根の施工に関しても、屋根上に支持部材で前記面部材を取り付けた後、土を積層させる方法を採ることが可能で、土の締め作業を行うだけで、面部材と土との一体性が向上し、植栽屋根形成作業を、より簡単に迅速に進めることが可能となる。
更には、植栽部での土の流下を抑制することができるようになるから、土を堰き止めるための立ち上がり壁部を、前述のように屋根の傾斜下手縁部に形成しなくても土の安定保持を叶えることが可能となり、建物に近い位置から屋根を見上げた場合に、植栽部を直に見ることが可能となり、植栽部の美しさを生かした外観を構成することが可能となる。
【０００７】
請求項２の発明の特徴構成は、図７に例示するごとく、前記支持部材３には、前記面部材５の支持高さを変更自在な高さ変更手段８を設けてあるところにある。
【０００８】
請求項２の発明の特徴構成によれば、請求項１の発明による作用効果を叶えることができるのに加えて、前記面部材の支持高さを変更自在な高さ変更手段を支持部材に設けてあるから、前記高さ変更手段によって、面部材の支持高さを任意に変更調整することが可能となる。
その結果、植栽部の厚み寸法の設定に合わせて前記面部材が土の中での好ましい高さに位置するように調整し、面部材と土との係合力をより向上させることが可能となる。
また、面部材と土との係合力の大小に関わらず、前記面部材が植栽部の表面に露出して植物の発育に影響を及ぼしたり美観性を低下させると言ったことが無いように、面部材が土中に位置するように高さ変更を実施したりすることも可能である。
勿論、植栽部の表面部に面部材が露出する状態に高さ調整することも可能である。
【０００９】
請求項３の発明の特徴構成は、図１〜３に例示するごとく、前記面部材５は、ネットであり、前記支持部材３は、前記ネットを貫通して表裏面から挟持支持自在に形成してあるところにある。
【００１０】
請求項３の発明の特徴構成によれば、請求項１又は２の発明による作用効果を叶えることができるのに加えて、面部材がネットであるから、取扱性がよく、植栽形成作業の効率を向上させることが可能となる。即ち、ネットであれば、巻き取った状態や、折り畳んだ状態で屋根上に持ち込んで、広げながら敷設することが可能で、高所での作業でも容易に実施することができる。
更には、支持部材はネットを貫通して挟持支持するものであるから、支持部材へのネットの取付作業に関しても簡単に迅速に実施でき、植栽形成作業の効率をより向上させることが可能となる。
【００１１】
請求項４の発明の特徴構成は、図２・３に例示するごとく、前記植栽部Ｓ内に水を保水可能な保水マット２を、前記防水層４上に沿わせて設けてあるところにある。
【００１２】
請求項４の発明の特徴構成によれば、請求項１〜３の何れかの発明による作用効果を叶えることができるのに加えて、保水マットに土の中の水分を蓄えておくことが可能となり、例えば、土の水分が少なくなってきた場合でも、前記保水マットから植栽の植物に水を供給することが可能となり、植栽屋根全体とした保水性能を向上させ、植栽が渇水状態に陥り難くすることが可能となる。
従って、植物の枯れ難い植栽屋根にすることが可能となる。
【００１３】
尚、上述のように、図面との対照を便利にするために符号を記したが、該記入により本発明は添付図面の構成に限定されるものではない。
【００１４】
【発明の実施の形態】
以下に本発明の実施の形態を図面に基づいて説明する。尚、図面において従来例と同一の符号で表示した部分は、同一又は相当の部分を示している。
【００１５】
図１は、当該発明の屋根構造の一つの実施形態を備えた建物Ｂを示すものである。
本実施形態の建物Ｂは、建物本体部Ｂ１と、その上に形成した屋根Ｂ２とを一体的に構成した鉄筋コンクリート造の建物である。
【００１６】
前記屋根Ｂ２は、図１・２に示すように、建物Ｂから離れた位置から見て上面部（後述する植栽部）が見える程度に傾斜させて構成してある。
また、前記屋根Ｂ２上には、土１を入れた植栽部Ｓを設けてあり、この植栽部Ｓに生育する草木を、建物Ｂから離れた位置で観賞できるように構成してある。
【００１７】
そして、前記屋根Ｂ２上面には、図２・３・５に示すように、塩化ビニル製の防水シート（防水層に相当）４を接着固定してあり、更にその上には、前記植栽部Ｓ内に水を保水可能な保水マット２を、前記防水層上に重なる状態に設けてある。
また、前記保水マット２の上方には、防水シート４上面に突出した状態に固定された複数の支持部材３で土支持用ネット（本発明で言う偏平な面部材の一例）５が支持してあり、このネット５が、植栽部Ｓの土１を担持してズレ落ちを防止することが可能となる。
【００１８】
因みに、前記防水シート４は、屋根Ｂ２に固定された防水シート固定金具６に接着によって取り付け固定してある。また、隣接するシートどうしは溶着によって確実に一体化を図ってある。
防水シート４の素材に関しては、塩化ビニルを使用してあることによって、適度な強度を確保することが可能となり、土１のズレ止め効果の強化と、植栽部Ｓの根の貫通防止をも図ることが可能となる。
尚、防水シート固定金具６に関しては、例えば、図４に示すように、直径５０ｍｍ程度のステンレス鋼製円板の上面にポリエステル樹脂等の溶けて接着性を発揮する熱可塑性合成樹脂からなるホットメルト接着層Ｈを被覆したワッシャ本体６Ａによって構成してある。そして、ワッシャ本体６Ａは、屋根Ｂ２上に、縦横に所定の間隔をあけた各位置に配置され、ビス止めしてある。
そして、屋根Ｂ２への防水シート４の固定は、ワッシャ本体６Ａの上に被さった防水シート４部分上方に電磁誘導加熱装置をセットして、ワッシャ本体６Ａを電磁誘導加熱することによって、前記ホットメルト接着層Ｈを溶かし、ワッシャ本体６Ａと防水シート４とを接着することができる（図５参照）。
【００１９】
前記保水マット２は、吸水ポリマー製の繊維を絡ませてマット状に成形したもので、前記防水シート４の上面に、この保水マット２の下面を接着してある。
但し、防水シート４への前記支持部材３の取付部分に関しては、支持部材３のベース部分３ａに被さるように配置してある。そして、支持部材３の本体部分３ｂが保水マット２を貫通して上方に突出している。
当該保水マット２を防水シート４上に沿わせて接着してあることによって、植栽部Ｓに浸入した水は、屋根勾配に沿って防水シート４上を勾配下手側に流され、その際に、前記保水マット２において充分に保水される。従って、土１が乾いてきた場合、保水マット２中に保水された水分が植栽部Ｓの草木に供給され、渇水状態となるのを緩和することが可能となる。
【００２０】
前記支持部材３は、塩化ビニルによって形成してあり、図６に示すように、ベース部分３ａと本体部分３ｂとを備えて構成してある。
前記ベース部分３ａは、円板で構成してあり、前記本体部分３ｂは、前記円板の中央部分に一体的に且つ立設状態に設けられた樹脂ボルトによって構成してある。
そして、支持部材３は、円板形状のベース部分３ａを、防水シート４上に面接着することによって、本体部分３ｂが、屋根面上に突出する状態に設置されている。また、前記本体部分３ｂには、外周部の雄ネジ部に係止自在な一対の係止リング部材３ｃを着脱自在に設けてあり、これら係止リング部材３ｃ間に、前記支持用ネット５を挟んで挟持固定することができる。従って、一方の係止リング部材３ｃを本体部分３ｂに係止させた状態で、前記ネット５の貫通穴（前記土１が植栽部Ｓの厚み方向に通過自在な通過孔に相当）５ｂに本体部分３ｂを挿通させて前記一方の係止リング部材３ｃ上にネット５を載置し、引き続き他方の係止リング部材３ｃを本体部分３ｂに係止させながら、ネット５を両係止リング部材３ｃで挟持することで、ネット５を支持部材３で支持固定することができる。
また、係止リング部材３ｃについて説明すると、前記ベース部分３ａ・本体部分３ｂと同様に、合成樹脂によって構成してあり、図７に示すように、リング本体７の内周部に薄肉の複数の係止片７ａを一体的に設けて構成してある。
前記各係止片７ａは、リング軸芯に対して一方側へ傾斜する姿勢に形成してあり、前記樹脂ボルトからなる前記本体部分３ｂの一端側から当該係止リング部材３ｃをボルト軸芯に沿って嵌合操作する際には、前記各係止片７ａが撓み易い係止状態となり、容易に嵌合させることが出来ながら、一度、嵌合させると、逆方向には、前記係止片７ａが突っ張って抜け難くなるように構成してある。
因みに、本体部分３ｂへの係止リング部材３ｃの係止作用は、本体部分３ｂの外周雄ネジ部に係止片７ａの先端部が係合することによって有効となる。また、本体部分３ｂから係止リング部材３ｃを取り外すには、ボルトからナットを外すのと同じ操作（前記雄ネジ部にそってボルト軸芯周りに係止リング部材３ｃを回転操作）することによって実施される。
また、本体部分３ｂに対する係止リング部材３ｃの係止位置は、変更することが可能であるから、ネット５の支持高さをも変更することが可能となり、例えば、植栽部Ｓの土層の設定厚み寸法や、生育させる草木の種類に応じて、前記ネット５の支持高さを好ましい値に調整することが容易に実施することができるようになる。前記本体部分３ｂと係止リング部材３ｃとを高さ変更手段８という。
【００２１】
前記ネット５について説明すると、図３に示すように、並設された多数の縦線部と、並設された多数の横線部とが交差する状態に一体的に成形された樹脂製ネットであり、隣接する縦線部と隣接する横線部とで囲まれた空間が、前記貫通穴５ｂとして確保されている。この貫通穴５ｂは、植栽部Ｓの土１を貫通させることができる大きさに設定してあり、上述のようにネット５を各支持部材３で屋根Ｂ２上に支持した状態で、上から土１を被せた場合、前記貫通穴５ｂを通過してネット５の下側へも土１がまわるように考慮してある。
従って、ネット５を設置した後、植栽部Ｓに土１を充填しても、保水マット２上まで土が行き渡り、所定厚みまで土１を盛ることによって、ネット５を土中に埋設することが可能となる。その結果、このネット５が、植栽部Ｓの土１を担持して屋根傾斜に沿って土がズレ落ちるのを防止することが可能となる。
また、植栽部Ｓのズレ落ち防止に関しては、上述のネット５と土１との担持作用を利用する点に加えて、草木の根の発育による自然現象を利用した点にもある。即ち、生育する草木は、水分のある方向に根を伸ばす性質があり、当該実施形態の場合は、ネット５の上方の土中に存在する根が、保水マット２に向けて伸びてゆきやすい。その際、各根は、前記ネット５の貫通穴５ｂを通過せざるを得ないから、結果的には、ネット５に対する根の絡み作用をも期待することができ、植栽部Ｓのズレ落ち防止を図ることができるものである。
【００２２】
次に、当該建物の屋根上植栽の形成方法について、その一例を挙げて説明する。
［１］  屋根Ｂ２上の所定の箇所に防水シート固定金具６を固定し、その上に、防水シート４を接着固定する。
［２］  防水シート４上面の所定の箇所に支持部材３を接着固定する。
［３］  保水マット２を、前記防水シート４の上に接着する。但し、前記支持部材３の設置個所については、支持部材３の本体部分３ｂが上方に突出する状態に貫通させる。
［４］  各支持部材３にわたって前記ネット５を配置すると共に、係止リング部材３ｃで固定する。但し、ネット５の軒側端部は、図８に示すように、長さに余裕を持たせて巻き取っておく。
［５］  前記ネット５の上から土１を敷き詰めて、ネット５が充分、土中に納まる所定高さまで盛り上げる（図８（ロ）参照）。
［６］  前記土１の上に芝を張り、目砂を被せる（図８（ハ）参照）。
［７］  軒側端部で巻き取ってあったネットを巻き広げて、土の上部へ折り戻し、フック状止め具Ｆ等で端部を固定する（図８（ニ）参照）。こうすることによって、植栽部Ｓの軒側端縁部の土１及び芝をネット５で包み込むことができ、落下を防止できると共に、草木はネットの貫通穴５ｂを通して軒側端縁部側に顔を出すことができ、建物斜め下方から植栽部Ｓを見上げた際に、端縁部まで草木が生育している状況を見ることができる美観性の高い屋根仕上がりとすることが可能となる。
【００２３】
当該実施形態で説明した屋根構造によれば、前記ネット５によって植栽部Ｓの土１を支持することができ、植栽部での土の流下を抑制することが可能となるから、植栽部の軒側端縁部までを植栽部として露出させて、植栽部Ｓで包み込まれた屋根の美しさをより向上させることが可能となる。また、植栽部Ｓ中の水分を、前記保水マットによってより長く保持しておくことが可能となるから、渇水状態に陥り難く、降雨が少なかったり、水やりが滞ったとしても、植栽部Ｓの草木が枯れ難くなるといった効果を期待することが可能となる。
【００２４】
〔別実施形態〕
以下に他の実施の形態を説明する。
【００２５】
〈１〉  建物の構造は、先の実施形態で説明した鉄筋コンクリート造に限るものではなく、例えば、鉄骨造や、鉄骨鉄筋コンクリート造、又は、木造、及び、それらの複合構造等、公知の建築構造を採用することが可能である。
〈２〉  前記保水マットは、先の実施形態で説明した吸水ポリマーを原料として形成したものに限るものではなく、例えば、天然素材や合成樹脂からなる繊維や不織布等で構成してあるものであってもよく、それらを総称して保水マットという。また、保水マットを設けない構成も可能である。
〈３〉  前記面部材５は、先の実施形態で説明したネットに限るものではなく、例えば、パンチングシートや、不織布等で構成してあってもよく、それらを含めて、面部材５という。但し、面部材５には、前記土１が植栽部Ｓの厚み方向に通過自在な通過孔５ｂを設けてある必要がある。
また、面部材５は、被支持部５ａにおいて防水層４から離間する状態に支持部材３で支持してあれば、多少の垂れ下がりがあっても、面部材５の下方にも土１が回り込んで、面部材のアンカー効果を発揮させることが可能である。面部材５の支持に関しては、前記垂れ下がりをより少なくするために、図９・１０に示すような、ネットスペーサ１０を使用してもよい。前記ネットスペーサ１０は、合成樹脂製で、図に示すように、上端部に、面部材５の一部を係入して支持できる支持部１０ａを設け、下端部に、下地への載置部１０ｂを設けて構成してある。
更には、面部材５を生分解性の材料で構成してあれば、植栽部Ｓの形成直後において面部材５による土１のズレ落ち防止効果を発揮できながら、時間経過に伴って面部材の分解が進み、植栽部Ｓでの草木の根の発育を妨げ難くして、充分に発育した草木の根と土１と支持部材３との絡み合いによる一体性向上で、植栽部の安定維持を図ることが可能となる。
〈４〉  前記防水層４は、先の実施形態で説明した塩化ビニル製の防水シートを使用して構成してあるものに限るものではなく、ゴムやＴＰＥ（サーモ・プラスチック・エラストマ）製のシート、又は、その他の素材からなる防水シートであってもよい。更には、成形シートに限るものではなく、防水材の塗布によって防水層を構成するものであってもよく、それらを総称して防水層という。
また、防水層４の屋根Ｂ２への固定は、先の実施形態で説明した防水シート固定金具６によって行われる以外に、例えば、屋根Ｂ２に全面接着によって実施するものであってもよい。
〈５〉  植栽部に生育させる植物は、先の実施形態で説明したように芝に限るものではなく、他の草木であってもよい。
〈６〉  先の実施形態で説明に用いた『接着』とは、被接合物同士を、接着材を介在させて接合するものに限らず、例えば、被接合物同士を溶かして（融かして）一体接合するものも含むものである。従って、接着材接着や、溶剤溶着や、熱融着等を総称して接着と言う。
【図面の簡単な説明】
【図１】建物を示す一部切欠き斜視図
【図２】屋根の詳細を示す要部断面図
【図３】ネットの取付状況を示す一部切欠き斜視図
【図４】防水シート固定金具を示す斜視図
【図５】防水シートの固定状況を示す要部断面図
【図６】支持部材を示す分解斜視図
【図７】支持部材の取付状況を示す断面図
【図８】植栽の形成手順を示す斜視図
【図９】別実施形態のネットスペーサを示す斜視図
【図１０】別実施形態のネットスペーサの設置状況を示す断面図
【図１１】従来の屋根構造を示す断面図
【図１２】従来の屋根構造を示す断面図
【符号の説明】
１      土
２      保水マット
３      支持部材
４      防水層
５      面部材
５ａ    被支持部
５ｂ    通過孔
８      高さ変更手段
Ｂ２    屋根
Ｓ      植栽部
【図１】
0004145011.tif 000002
【図２】
0004145011.tif 000003
【図３】
0004145011.tif 000004
【図４】
0004145011.tif 000005
【図５】
0004145011.tif 000006
【図６】
0004145011.tif 000007
【図７】
0004145011.tif 000008
【図８】
0004145011.tif 000009
【図９】
0004145011.tif 000010
【図１０】
0004145011.tif 000011
【図１１】
0004145011.tif 000012
【図１２】
0004145011.tif 000013